(57)【要約】【課題】  送風機のベルマウスは、ケーシングより外方に位置し、かつ外周面が鋭利な部位となる。外周面の鋭利な部位は、そのままでは、大変、危険であり、この対策とし、外周面を巻絞りによる折曲げ、外周面の鋭利な部位を隠蔽する構成、外周面をケーシングの内方に折曲げ、外周面の鋭利な部位を隠蔽する等の構成が採用されている。一長一短があり、簡易な構造で、安全性が確保できるベルマウスの構造、また風量が確保できるベルマウスの構造が要望される。【構成】  本発明は、送風機を、ベルマウスを備えたケーシングに、ファンとモータとを装備する構成であり、このケーシングの外周面に、僅かな間隔を介して保護用の環体を設ける構成とした送風機のベルマウス用のガードである。ベルマウスの外周面が鋭利な部位を確実に保護し、人が接する箇所に設置しても、その安全性が確保できる。【選択図】          図１
2008025422.tif 000002
【特許請求の範囲】
【請求項１】
農事用、畜産用の送風機は、ベルマウスを備えたケーシングに、ファンとモータとを装備する構成であって、
このケーシングの外周面に、僅かな間隔を介して保護用の環体を設ける構成とした送風機のベルマウス用のガード。
【請求項２】
請求項１に記載の送風機のベルマウス用のガードであって、この保護用の環体を、前記ベルマウスに設けた保護ガードの放射方向のガード素材に係止する構成とした送風機のベルマウス用のガード。
【請求項３】
請求項２に記載の送風機のベルマウス用のガードであって、この保護ガードを、複数本の放射方向のガード素材と、この放射方向のガード素材に係止した複数本の環状のガード素材とを編成する構成とした送風機のベルマウス用のガード。
【請求項４】
請求項１に記載の送風機のベルマウス用のガードであって、このケーシングの吐出口の内方に整流板を配備する構成とした送風機のベルマウス用のガード。
【発明の詳細な説明】
【技術分野】
【０００１】
本発明は、農事用、畜産用の送風及び／又は拡散等を目的とした利用される送風機のベルマウス用のガードに関する。
【背景技術】
【０００２】
従来、この種の比較的小型であって、かつ農事用、畜産用の送風及び／又は拡散等を目的とした利用される送風機において、そのベルマウスは、ケーシング（風胴）より外方に位置するとともに、その外周面が鋭利な部位となる。この外周面の鋭利な部位は、そのままでは、大変、危険であることが知られており、その対策が図られる。例えば、その外周面を巻絞りによる折曲げ、外周面の鋭利な部位を隠蔽する（鋭利な部位を無くす）構成、又は外周面をケーシングの内方に折曲げ、外周面の鋭利な部位を隠蔽する等の構成が採用されている。しかし、この構成は、一長一短があり、簡易な構造で、安全性が確保できるベルマウスの構造、また風量が確保できるベルマウスの構造が要望される処である。
【０００３】
以上のような要望に対応可能な先行文献を調査したが、具体的に関連性がある発明、考案は、この分野を含め、送風機全体の他の分野を含めた検索（一定の範囲の技術及び／又はこの分野の調査では検索）できなかった。そこで、幾分、関連性がある発明を文献として挙げる。
【０００４】
文献（１）は、特開平５−８７３６６号の「空気調和機の室外機」がある。この発明は、ベルマウスを備えているが、このベルマウスは、外側に向かった鍔を有する。従って、このベルマウスは、本体ベース内に設置される構成であるので、設置後においては問題でない。しかし、部品の搬送時、また組付け時等の所定の際に問題となることが考えられる。従って、その対処が要望される。
【０００５】
また文献（２）は、特開２０００−２２７２３３の「天井埋込型空気調和機」がある。この発明は、ベルマウスを備えているが、このベルマウスは明確でないが、従来と同様な加工と考えられる。従って、この発明では、ベルマウスの内側にファンガードを、その外側にケース本体を設け、このベルマウスを他の部材でガードする構成であり、設置後においては問題でない。しかし、この発明の加工部品では、搬送時、また組付け時等の所定の際に問題となることが考えられる。従って、その対処が要望される。
【特許文献１】特開平５−８７３６６号
【特許文献２】特開２０００−２２７２３３
【発明の開示】
【発明が解決しようとする課題】
【０００６】
従来のベルマウスの外周面が鋭利な部位の対処として、行われている。例えば、巻絞りによる折曲げで隠蔽する構成、又は内方に折曲げ、外周面の鋭利な部位を隠蔽する構成等は、それなりの成果がある。しかし、この隠蔽する構成では、十分な保護とならないと考えられるので、この保護の確立を図る構造の提案が要求される。またこの隠蔽する構成では、加工時に特殊な冶具と、経験を要することが考えられ、これらの解消と、簡易な作業による構成が要求される。
【０００７】
また文献（１）、（２）の発明は、ベルマウスに関するものであるが、外周面が鋭利な部位の改良に介して、特段の改良を行った構造でないので、必要により、改良すべき点があるのは、前述の通りである。
【課題を解決するための手段】
【０００８】
請求項１の発明は、ベルマウスにおいて、その外周面が鋭利な部位を確実に保護し、送風機を、ガードをしなくて設置し、かつ人が接する箇所に設置しても、その安全性が確保でき、かつ美感にも優れた送風機のベルマウス用のガードを提供することを意図する。また請求項１の発明は、ベルマウスの形態を変更することなく、外周面が鋭利な部位を確実に保護し、かつこの送風機の機能を損ねない構造とした送風機のベルマウス用のガードを提供することを意図する。
【０００９】
請求項１は、農事用、畜産用の送風機は、ベルマウスを備えたケーシングに、ファンとモータとを装備する構成であって、
このケーシングの外周面に、僅かな間隔を介して保護用の環体を設ける構成とした送風機のベルマウス用のガードである。
【００１０】
請求項２の発明は、請求項１の目的を達成すること、この目的を達成するのに最適で、かつ強度に優れたベルマウス用のガードを提供することを意図する。さらに請求項２の発明は、保護用の環体を放射方向のガード素材に係止する構成であり、特殊な冶具、経験を要することなく固止可能とすることを意図する。
【００１１】
請求項２は、請求項１に記載の送風機のベルマウス用のガードであって、この保護用の環体を、前記ベルマウスに設けた保護ガードの放射方向のガード素材に係止する構成とした送風機のベルマウス用のガードである。
【００１２】
請求項３の発明は、請求項１の目的を達成すること、この目的を達成するのに最適で、かつ強度に優れた保護ガードを提供することを意図する。
【００１３】
請求項３は、請求項２に記載の送風機のベルマウス用のガードであって、この保護ガードを、複数本の放射方向のガード素材と、この放射方向のガード素材に係止した複数本の環状のガード素材とを編成する構成とした送風機のベルマウス用のガードである。
【００１４】
請求項４の発明は、請求項１の目的を達成すること、この目的を達成するのに最適な送風機（本体）を提供することを意図する。
【００１５】
請求項４は、請求項１に記載の送風機のベルマウス用のガードであって、このケーシングの吐出口の内方に整流板を配備する構成とした送風機のベルマウス用のガードである。
【発明の効果】
【００１６】
請求項１の発明は、農事用、畜産用の送風機は、ベルマウスを備えたケーシングに、ファンとモータとを装備する構成であって、
ケーシングの外周面に、僅かな間隔を介して保護用の環体を設ける構成とした送風機のベルマウス用のガードである。
【００１７】
従って、請求項１は、ベルマウスにおいて、その外周面が鋭利な部位を確実に保護し、送風機を、ガードをしなくて設置し、かつ人が接する箇所に設置しても、その安全性が確保でき、かつ美感にも優れた送風機のベルマウス用のガードを提供できる特徴がある。また請求項１の発明は、ベルマウスの形態を変更することなく、外周面が鋭利な部位を確実に保護し、かつこの送風機の機能を損ねない構造とした送風機のベルマウス用のガードを提供できる実益がある。
【００１８】
請求項２の発明は、請求項１に記載の送風機のベルマウス用のガードであって、保護用の環体を、ベルマウスに設けた保護ガードの放射方向のガード素材に係止する構成とした送風機のベルマウス用のガードである。
【００１９】
従って、請求項２は、請求項１の目的を達成できること、この目的を達成するのに最適で、かつ強度に優れたベルマウス用のガードを提供できること等の特徴を有する。またこの請求項２は、保護用の環体を放射方向のガード素材に係止する構成であり、特殊な冶具、経験を要することなく固止可能となること等の実益を有する。
請求項３の発明は、請求項２に記載の送風機のベルマウス用のガードであって、保護ガードを、複数本の放射方向のガード素材と、放射方向のガード素材に係止した複数本の環状のガード素材とを編成する構成とした送風機のベルマウス用のガードである。
【００２０】
従って、請求項３は、請求項１の目的を達成できること、この目的を達成するのに最適で、かつ強度に優れた保護ガードを提供できること等の特徴を有する。
【００２１】
請求項４の発明は、請求項１に記載の送風機のベルマウス用のガードであって、このケーシングの吐出口の内方に整流板を配備する構成とした送風機のベルマウス用のガードである。
【００２２】
従って、請求項４は、請求項１の目的を達成できること、この目的を達成するのに最適な送風機（本体）を提供できること等の特徴を有する。
【発明を実施するための最良の形態】
【００２３】
本発明の一例を説明する。
【００２４】
図面の説明をすると、図１は本発明の全体の斜視図、２は図１の正面図、図３は図１の側面図、図４は保護ガードの放射方向のガード素材と保護用の環体と、ベルマウスとの関係を示した拡大斜視図、図５は本発明をハウスに設置した状態の縮尺模式図である。
【００２５】
図において、１は農事用、畜産用の送風及び／又は拡散等を目的とした利用される送風機で、この送風機１は、筒状のケーシング２（ケーシング２とする）と、このケーシング２の吸込み側２ａには拡開状に形成されたベルマウス３が設けられる。そして、この送風機１は、農事用、畜産用の送風及び／又は拡散等として、図５の如く、剥き出し式に設置されることが特徴であり、その為に、本発明は有効である。尚、このケーシング２には、ファン５と、ファン５用のモータ６と、このモータ６を支持し、かつモータ６等の電気的な機材を収容する基盤部７が設けられている。
【００２６】
そして、このケーシング２のベルマウス３には、前記基盤部７を支持し、かつファン５に向かって侵入する虞がある人の指、他の部位と、衝突物等の破損（欠損）、また障害物を遮断する為の保護ガード１０が設けられている。この保護ガード１０は、ベルマウス３と基盤部７のブラケットとの間に差渡し設けた（ベルマウス３間に差渡し設ける例もあり得る）、複数本の放射方向のガード素材１００（放射方向のガード素材とする）と、放射方向のガード素材１００に係止した複数本の環状のガード素材１０１（環状のガード素材とする）とを編成した構成とする。この構成により、前記基盤部７及び／又はモータ６と、ファン５とを、ケーシング２に確実かつ安定的に支持することができる。そして、この放射方向のガード素材１００は、望ましくは、二条の線材で構成し、強度の確保と、他の部材への固止の容易化等を図る。
【００２７】
また図中１２はベルマウス３の外周面３ａに僅かな間隔Ａを介して設けた保護用の環体で、この環体１２は前記放射方向のガード素材１００の折返し部１００ａに溶接、止め具等の係止手段１２０を介して固止されている。この保護用の環体１２を設けることで、ベルマウス３の外周面３ａへの人の指、他の部位と、衝突物等の破損（欠損）、又は障害物を遮断する。即ち、この人の指、他の部位と、衝突物等を保護する。そして、通常は、この保護用の環体１２は、保護カード１０構成時に固止されるが、ケーシング２及び／又はベルマウス３に保護ガード１０を取付け後に、固止することもあり得る。従って、従来の図示しない送風機にも、工夫と機材の設置等を介して取付け可能であり、重宝すること、安全性の確保に有効である。
【００２８】
尚、この例では、保護用の環体１２は、固止の簡便性、美感、強度の確保等の見地から、前述の如く、放射方向のガード素材１００の折返し部１００ａに係止手段１２０を介して固止されている。しかし、他の構成でも可能であり、例えば、ベルマウス３の外周面３ａに補助部材を介して保護用の環体１２を固止することも可能である。
【００２９】
図中１５はリベット、螺子等の止め具で、この止め具１５を介して放射方向のガード素材１００の環状折曲げ部をベルマウス３の外周面３ａに、ワンタッチで固止する構成とする。また、この構成は、基盤部７のブラケットに放射方向のガード素材１００の環状折曲げ部を固止する場合も同様に考えられる。
【００３０】
そして、本発明では、保護用の環体１２をベルマウス３の外周面３ａに僅かな間隔Ａを介して設けた構成であり、送風機１の性能の低下、騒音の発生の回避と、搬送時の安全性・取扱い等の向上、又は保護ガード１０の強度の向上等に寄与できる。
【００３１】
図中１６は整流板で、この整流板１６はケーシング２の吐出側２ｂのやや内方に設けられており、ファン５の風を整流し、遠方に送風すること等を意図して設けられている。
【００３２】
図中Ｂはハウス、Ｃは作物を示す。
【図面の簡単な説明】
【００３３】
【図１】図１は本発明の全体の斜視図
【図２】２は図１の正面図
【図３】図３は図１の側面図
【図４】図４は保護ガードの放射方向のガード素材と保護用の環体と、ベルマウスとの関係を示した拡大斜視図
【図５】図５は本発明をハウスに設置した状態の縮尺模式図
【符号の説明】
【００３４】
１          送風機
２          ケーシング
２ａ        吸込み側
２ｂ        吐出側
３          ベルマウス
３ａ        外周面
５          ファン
６          モータ
７          基盤部
１０        保護ガード
１００      放射方向のガード素材
１００ａ    折返し部
１０１      環状のガード素材
１２        保護用の環体
１２０      係止手段
１５        止め具
Ａ          間隔
Ｂ          ハウス
Ｃ          作物
【図１】
2008025422.tif 000003
【図２】
2008025422.tif 000004
【図３】
2008025422.tif 000005
【図４】
2008025422.tif 000006
【図５】
2008025422.tif 000007